(57)【要約】【課題】実際に人体にエネルギーを照射することなく且つ実際に検査に用いる医用画像診断装置そのものを用いて容易に撮像のシミュレーションを行うことができる医用画像診断装置を提供すること。【解決手段】シミュレーション患者情報及びシミュレーション検査情報に基づいて、過去に作成された画像データの中から、当該シミュレーション検査における出力画像として用いる画像データを検索する撮影シミュレータ部２５と、前記画像データを表示する画像表示部９と、ユーザーによる前記シミュレーション患者情報及び前記シミュレーション検査情報の入力時に、前記過去に作成された画像データに対応する患者情報及び検査情報に基づいて、ユーザーによる前記入力を誘導する為の誘導表示を前記画像表示部に表示させる検査実施誘導部１９と、を具備することを特徴とする。【選択図】      図１
2008264125.tif 000002
【特許請求の範囲】
【請求項１】
被検体に関する情報である患者情報、及びシミュレーション検査において用いる患者情報であるシミュレーション患者情報を入力する為の患者情報入力部と、
前記被検体に対して実施する検査に関する情報である検査情報、及び前記シミュレーション検査において用いる検査情報であるシミュレーション検査情報を入力する為の検査情報入力部と、
前記患者情報入力部によって入力された患者情報、及び前記検査情報入力部によって入力された検査情報に基づいて撮影を実施して画像データを作成する撮影実施部と、
前記患者情報入力部によって入力されたシミュレーション患者情報、及び前記検査情報入力部によって入力されたシミュレーション検査情報に基づいて、過去に作成された画像データの中から、当該シミュレーション検査における出力画像として用いる画像データを検索する撮影シミュレータ部と、
前記画像データを表示する画像表示部と、
ユーザーによる前記シミュレーション患者情報及び前記シミュレーション検査情報の入力時に、前記過去に作成された画像データに対応する患者情報及び検査情報に基づいて、ユーザーによる前記入力を誘導する為の誘導表示を前記画像表示部に表示させる入力誘導部と、
を具備することを特徴とする医用画像診断装置。
【請求項２】
シミュレーション検査における出力画像として用いる画像データとして、前記過去に作成された画像データを登録するシミュレーション用画像データ管理部と、
前記シミュレーション用画像データ管理部に画像データを登録する為の画像データ登録部と、
を更に含み、
前記撮影シミュレータ部は、シミュレーション検査における出力画像として用いる画像データを、前記シミュレーション用画像データ管理部に登録された画像データの中から検索することを特徴とする請求項１に記載の医用画像診断装置。
【請求項３】
前記画像データ登録部は、前記撮影実施部によって取得した画像データを、前記シミュレーション用画像データ管理部に登録することを特徴とする請求項１に記載の医用画像診断装置。
【請求項４】
シミュレーション検査における出力画像として用いる画像データに対応する患者情報及び検査情報と、当該シミュレーション検査におけるシミュレーション患者情報及びシミュレーション検査情報と、を比較表示する為の比較情報表示部を更に具備することを特徴とする請求項１に記載の医用画像診断装置。
【発明の詳細な説明】
【技術分野】
【０００１】
本発明は、医用画像診断装置に関する。
【背景技術】
【０００２】
被検体内部の様子を画像として取得し、この画像に基づいて医療診断を実施することが可能な各種の医用画像診断装置は、相当規模以上の病院であれば遍く普及している状況となっている。そして、このような医療診断は、日常的な診断業務の一部となっている。
【０００３】
具体的には、このような医用画像診断装置として、例えば被検体にＸ線を照射し、このＸ線が当該被検査体内における臓器や骨等に吸収されることを利用して画像化を行うＸ線撮影装置、Ｘ線撮影装置と同様の原理を利用しつつ被検体に対して多方向からＸ線を照射した結果得られる投影データを収集及び再構成することにより、当該被検体の断層画像を取得するＸ線ＣＴ装置、及び被検体内にＭＲ（Ｍａｇｎｅｔｉｃ  Ｒｅｓｏｎａｎｃｅ；磁気共鳴）現象を起こし、このＭＲ現象を用いることで当該被検体の断層画像を取得する磁気共鳴映像装置（以降、ＭＲＩ装置と称する）等を挙げることができる。そして、これらの装置は、一般にマルチモダリティと総称されている。
【０００４】
このような種々の医用画像診断装置を利用する際には、例えばユーザーには次のような技術が求められる。すなわち、例えばＸ線撮影装置を利用する際には、Ｘ線撮像条件等のパラメータを最適に設定する技術である。このパラメータの最適設定を行った上で撮影を行わなければ、明暗等の状況が良好な撮影画像を得られない。そして、このようなパラメータの最適設定には、ある程度の熟練が必要とされている。
【０００５】
そのため、ユーザーの撮影技術や操作技術等を向上させるには、実際に被検体に対してＸ線を照射し、その結果得られる画像を観察するという経験を欠かすことはできない。従って、例えばＸ線等の放射線を取り扱う新人技師（放射線技術者）等を育成する際には、水が充填された円筒状や任意の人体形状を模したアクリル等のファントムを用いて、実際にＸ線を照射することでＸ線撮像のトレーニング等が行われている。そして、このような状況はＸ線撮影装置に限らず、他の各種医用画像診断装置例えばＭＲＩ装置等においても同様である。
【０００６】
ところで、このような医用画像診断装置の操作方法等の習得に関連する技術として、例えば特許文献１及び特許文献２に、それぞれ次のような技術が開示されている。
【０００７】
すなわち、特許文献１には、医療施設に設けられ且つ該医療施設の遠隔地にあるサービス施設に設けられたサーバシステムとネットワークを介して接続された医用装置において、被検体の撮影を行う装置本体部と、ユーザーが前記装置本体部の操作を行うための操作部と、前記ユーザーに対して提供する操作に関する情報の提供方法を選択決定するための選択決定手段と、前記選択決定手段により選択決定された提供方法に関する情報を前記サーバシステムに送信し、前記サーバシステムから前記選択決定された提供方法に対応する指導データを受信する送受信手段と、を具備する医用装置が開示されている。
【０００８】
このような構成により、前記医用装置の操作方法を指導するトレーナーが、医用装置から離れている場所から、前記医用装置のユーザーに操作方法を指導する場合に、操作方法をより正確に且つ効率良く伝えることが可能な医用装置が提供される。
【０００９】
また、特許文献２には、ユーザーが使用する情報端末とネットワークを介して通信可能とされる管理装置により、一以上の医用画像診断装置からなるモダリティシステムのシミュレーションに関するサービスを前記情報端末に対して提供する医用画像診断装置のシミュレーション方法であって、前記管理装置が、前記情報端末において指定した何れの医用画像診断装置のシミュレータを利用するのかを選択決定するためのモダリティ選択決定情報を、前記ネットワークを介して受信するステップと、前記管理装置が、前記モデリティ選択決定情報に基づき、選択決定された医用画像診断装置のシミュレータのシミュレータ画面情報を、前記情報端末に対して前記ネットワークを介して送信するステップと、前記管理装置が、前記情報端末において前記シミュレータ画面から操作されたシミュレータ操作情報を、前記ネットワークを介して受信し、前記シミュレータ操作情報に基づいてモダリティシミュレーションの演算処理を行うステップと、前記管理装置が、前記モダリティシミュレーションの演算処理の演算結果を、前記ネットワークを介して前記情報端末に対して送信するステップと、を有する医用画像診断装置のシミュレーション方法が開示されている。
【００１０】
このような方法により、ユーザーは、情報端末からネットワークを介して管理装置に対してアクセスし、遠隔にてＸ線撮像シミュレータの演算処理を必要に応じて利用できる。また、患者にＸ線を被爆させることなくいつでも容易に何回でも模擬撮像を行うことができ、医者による事前の確認のために利用したり、経験の浅い技師の撮影トレーニングの効果を高めることができる。
【特許文献１】特開２００２−３０６４５１号公報
【特許文献２】特開２００３−３１０５９２号公報
【発明の開示】
【発明が解決しようとする課題】
【００１１】
ところで、新規な医用画像診断装置を導入した後には、技師及び医師等のユーザーには多種多様な操作トレーニングが必要となることを鑑みると、例えば特許文献１に開示された技術のようにトレーナーによる操作トレーニングではなく、ユーザー所望の時間に自学自習によって操作トレーニングを行えることが好ましい。
【００１２】
また、医用画像診断装置の機種や個体によって異なる特性（例えば、Ｘ線管球の個体特徴、検出器の個体特徴等）や、各々の医用画像診断装置に特有の設定（操作画面レイアウト、表示画面遷移の設定、オプション構成等）を考慮に入れたシミュレーションを行う場合には、これらに関するパラメータの設定調整を逐次行わなければならない。
【００１３】
しかしながら、例えば特許文献２に開示された技術のように一般的なモデルデータを用いてシミュレーションを行う場合、このような各々の医用画像診断装置に固有のパラメータの設定まではシミュレートできない。従って、各々の医用画像診断装置の特性及び特有の設定を反映させたシミュレーションを行うには、実際に検査に用いる医用画像診断装置そのものを用いてシミュレーションすることが好ましい。
【００１４】
本発明は、前記の事情に鑑みてなされたものであり、実際に人体にエネルギーを照射することなく且つ実際に検査に用いる医用画像診断装置そのものを用いて容易に撮像のシミュレーションを行うことができる医用画像診断装置を提供することを目的とする。
【課題を解決するための手段】
【００１５】
上記の目的を達成するために、請求項１に記載の本発明による医用画像診断装置は、被検体に関する情報である患者情報、及びシミュレーション検査において用いる患者情報であるシミュレーション患者情報を入力する為の患者情報入力部と、前記被検体に対して実施する検査に関する情報である検査情報、及び前記シミュレーション検査において用いる検査情報であるシミュレーション検査情報を入力する為の検査情報入力部と、前記患者情報入力部によって入力された患者情報、及び前記検査情報入力部によって入力された検査情報に基づいて撮影を実施して画像データを作成する撮影実施部と、前記患者情報入力部によって入力されたシミュレーション患者情報、及び前記検査情報入力部によって入力されたシミュレーション検査情報に基づいて、過去に作成された画像データの中から、当該シミュレーション検査における出力画像として用いる画像データを検索する撮影シミュレータ部と、前記画像データを表示する画像表示部と、ユーザーによる前記シミュレーション患者情報及び前記シミュレーション検査情報の入力時に、前記過去に作成された画像データに対応する患者情報及び検査情報に基づいて、ユーザーによる前記入力を誘導する為の誘導表示を前記画像表示部に表示させる入力誘導部と、を具備することを特徴とする。
【発明の効果】
【００１６】
本発明によれば、実際に人体にエネルギーを照射することなく且つ実際に検査に用いる医用画像診断装置そのものを用いて容易に撮像のシミュレーションを行うことができる医用画像診断装置を提供することができる。
【発明を実施するための最良の形態】
【００１７】
以下、図面を参照して本発明の実施形態を説明する。
【００１８】
［第１実施形態］
図１は、本第１実施形態に係る医用画像診断装置の一構成例を示す図である。
【００１９】
同図に示すように、本第１実施形態に係る医用画像診断装置２は、診断装置部２Ａと、シミュレーション装置部２Ｂとを具備する。
【００２０】
ここで、本第１実施形態に係る医用画像診断装置２を用いて通常の検査のみを行う場合には、前記診断装置部２Ａのみが用いられるが、後述する本第１実施形態に係る医用画像診断装置に特有の撮像シミュレーションを行う場合には、前記診断装置部２Ａ及び前記シミュレーション装置部２Ｂが用いられる。以下、本第１実施形態に係る医用画像診断装置の構成を詳細に説明する。
【００２１】
まず、前記診断装置部２Ａは、患者情報入力部５と、検査情報入力部７と、画像情報表示部９と、撮影実施部１１と、画像情報管理部１３と、装置状態設定記憶部１５とを有する。
【００２２】
また、前記シミュレーション装置部２Ｂは、トレーニング指示部１７と、検査実施誘導部１９と、トレーニング用画像情報管理部２１と、画像データ登録部２３と、撮影シミュレータ部２５と、トレーニング状態設定記憶部２７とを有する。
【００２３】
前記患者情報入力部５は、例えば図２に示すようなメイン表示画面５１のうち第１表示領域５３に表示される予約ボタン５３Ａがユーザーによって選択決定（例えばマウス等の入力デバイスによってメイン表示画面５１に表示されたカーソルが選択対象に合わせられ且つ当該入力デバイスにおける決定ボタンがユーザーによって押圧操作）された場合に起動される予約業務アプリケーションである。この予約業務アプリケーションによれば、第２表示領域５５に表示される検査予約画面表示５５Ｔにおいて、検査を行う患者の基本情報を示す患者基本情報として、例えば患者ＩＤ、氏名、性別、生年月日、年齢、体重、身長、住所、及び連絡先等を入力・表示・修正することができ、且つ当該患者に関する検査予約状況を示す検査予約情報として検査日時、検査場所、検査コメント、及び主治医等の情報を入力・表示・編集することができる。
【００２４】
なお、前記患者情報入力部５によって入力された患者基本情報及び検査予約情報は、後述する画像情報管理部１３に保存される。
【００２５】
ここで、図２に示す前記メイン表示画面５１について詳細に説明する。すなわち、前記メイン表示画面５１は図２に示すように、その左部領域を占める第１表示領域５３と、前記第１表示領域５３の右側の領域のうちの上部領域を占める第２表示領域５５と、前記第２表示領域５５の下側の領域を占める第３表示領域５７とによって構成される。
【００２６】
そして、前記第１表示領域５３には、当該医用画像診断装置２における基本的な各種操作を、当該医用画像診断装置２に実行させる為のボタン群（例えば前記予約ボタン５３Ａ、撮影ボタン５３Ｂ、観察ボタン５３Ｃ、ファイルボタン５３Ｄ、…、管理ボタン５３Ｓ、終了ボタン５３Ｔ等）が所定の順で配置され表示される。そして、前記第２表示領域５５及び前記第３表示領域５７には、ユーザーによって選択決定された前記の各ボタンに基づいた表示が行われる。
【００２７】
前記検査情報入力部７は、図２に示す前記撮影ボタン５３Ｂがユーザーによって選択決定された際に起動される業務アプリケーションであり、具体的には予約されている検査を実施する為の業務アプリケーションである。
【００２８】
すなわち、ユーザーによって前記撮影ボタン５３Ｂが選択決定されると、前記第２表示領域５５には図３に示すように検査を行う患者の患者基本情報及び検査予約情報表示５５Ｂが表示される。
【００２９】
そして、ユーザーは撮影を行う為の検査実施情報として撮影部位及び撮影プラン等の情報を、前記第２表示領域５５に表示される検査実施情報表示５５Ｃにおいて入力・表示・編集することができる。このとき、前記第２表示領域５５には更に、当該検査における撮影を開始する為のＳｔａｒｔボタン５５Ｓ、当該検査における撮影を中止する為のＡｂｏｒｔボタン５５Ａも表示される。
【００３０】
なお、前記検査予約情報は、前記検査情報入力部７による検査情報入力時においても入力・表示・編集することができる。以降、説明の便宜上、前記検査予約情報と前記検査実施情報とを検査情報と総称し、該検査情報は、前記検査情報入力部７によって入力されるものとして説明する。
【００３１】
ここで、前記Ｓｔａｒｔボタン５５Ｓがユーザーによって選択決定された場合には、前記撮影実施部１１に対して撮影開始が指示され、この指示を受けた撮影実施部１１は、画像情報管理部に保存されている患者基本情報及び検査情報に基づいて撮影詳細条件を算出して撮影を行い、該撮影によって取得したデータをもとに画像データを作成して該画像データを前記画像情報管理部１３に保存する。一方、前記Ａｂｏｒｔボタン５５Ａがユーザーによって選択決定された場合には、前記撮影実施部１１は当該撮影を中止する。
【００３２】
前記画像情報表示部９は、上述したように当該医用画像診断装置２における種々の操作表示画面を表示する表示部である。
【００３３】
なお、前記観察ボタン５３Ｃがユーザーによって選択決定されると、前記撮影実施部１１によって過去に撮影された画像が、図４に示すように前記第３表示領域５７に表示される。また、前記ファイルボタン５３Ｄは、例えば撮影によって取得した画像データをネットワーク経由で当該医用画像診断装置２の外部に存在する画像管理システムと遣り取りする場合、イメージャやプリンタ等に画像を印刷する場合、及びＭＯＤやＤＶＤ等のオフラインメディアに対して画像等の書き込みや読み出しを行う場合に、ユーザーによって選択決定されるボタンである。さらに、前記管理ボタン５３Ｓは、当該医用画像診断装置２の設定変更及び点検・保守を行う場合に、ユーザーによって選択決定されるボタンである。そして、前記終了ボタン５３Ｔは、当該医用画像診断装置２を終了させる場合に、ユーザーによって選択決定されるボタンである。
【００３４】
前記撮影実施部１１は、上述したように画像情報管理部１３に保存されている患者基本情報及び検査情報に基づいて撮影詳細条件を算出して撮影を行い、該撮影によって取得したデータをもとに画像データを作成して、該画像データを前記患者基本情報及び前記検査情報と関連付けて前記画像情報管理部１３に保存する。
【００３５】
前記装置状態設定記憶部１５は、前記患者情報入力部５、前記検査情報入力部７、前記画像情報表示部９、前記撮影実施部１１、及び前記画像情報管理部１３から、それぞれ通知された現在の状態情報を記憶する。
【００３６】
以下、前記シミュレーション装置部２Ｂの詳細な構成を説明する。
【００３７】
前記トレーニング指示部１７は、前記トレーニング用画像情報管理部２１に登録されているトレーニング用データ（当該医用画像診断装置２を用いた撮影シミュレーションによるトレーニングにおいて用いる各種データ；詳細は図８を参照して後述する）を参照して、“トレーニング可能な患者基本条件・検査条件”の一覧を、前記画像情報表示部９に表示させる。そして、該表示を参照してユーザーによって選択決定された情報及び前記装置状態設定記憶部１５によって記憶された装置状態に基づいて、前記トレーニング指示部１７は、前記検査実施誘導部１９を起動し、且つ前記トレーニング状態設定記憶部２７にトレーニングの開始を通知する。なお、前記トレーニング指示部１７は、当該トレーニングが終了した際には、当該トレーニングの終了を前記トレーニング状態設定記憶部２７に通知する。
【００３８】
前記検査実施誘導部１９は、ユーザーによって患者基本情報及び検査情報が入力される際に、前記トレーニング指示部１７からの指示に基づいて、入力候補としての患者基本情報及び検査情報（前記トレーニング用画像情報管理部２１に登録されているトレーニング用データに基づいて絞り込む）を画像情報表示部９に表示させることで、ユーザーの情報入力を誘導する。
【００３９】
前記トレーニング用画像情報管理部２１は、前記トレーニング用データが格納されているデータベースであり、当該トレーニング用画像情報管理部２１に格納されている前記トレーニング用データを検索可能なように構成されている。
【００４０】
前記画像データ登録部２３は、前記トレーニング用データを前記トレーニング用画像情報管理部２１に登録する為の登録部である。
【００４１】
前記撮影シミュレータ部２５は、ユーザーによってトレーニングを実施する為の所定の操作が為されたときに、前記トレーニング用画像情報管理部２１に登録されているトレーニング用データに基づいて、当該トレーニングにおけるシミュレーション結果を、前記画像情報表示部９に表示させ且つ前記画像情報管理部１３に登録する。なお、この撮影シミュレータ部２５による処理の詳細は、図９に示すフローチャートを参照して後述する。
【００４２】
前記トレーニング状態設定記憶部２７は、上述したように前記トレーニング指示部１７によって通知されたトレーニングの開始及び終了（トレーニング状態のＯＮ／ＯＦＦ）を記憶する。
【００４３】
以下、本第１実施形態に係る医用画像診断装置の主な特徴の一つである、撮影シミュレーションによるトレーニングについて詳細に説明する。
【００４４】
まず、ユーザーによって前記管理ボタン５３Ｓが選択決定されると、前記画像情報表示部９にはトレーニングを実施する為のボタン（不図示）が表示される。そして、このトレーニングを実施する為のボタン（不図示）がユーザーによって選択決定されると、前記トレーニング指示部１７は、図５に示すようにトレーニング条件選択ウィンドウ６１を前記画像情報表示部９に表示させる。そして、当該トレーニングにおける大まかな条件設定（初期設定）が次のようにして行われる。
【００４５】
すなわち、前記トレーニング指示部１７は、トレーニングする検査部位、検査目的、患者の年齢、及び性別を選択決定する為のプルダウンメニュー６１Ｐ１乃至プルダウンメニュー６１Ｐ４を、前記トレーニング条件選択ウィンドウ６１内に表示させる。
【００４６】
ここで、ユーザーが選択決定できる条件は、前記トレーニング用画像情報管理部２１に登録されているトレーニング用データに対応するデータのみである。すなわち、前記トレーニング用画像情報管理部２１に登録されている画像データに対応する患者基本情報又は検査情報のデータのみが、それぞれにおけるプルダウンメニューとして表示される。
【００４７】
そして、ユーザーは、図５に示すように前記トレーニング条件選択ウィンドウ６１内にプルダウンメニューとして表示される前記トレーニング用データに対応するデータの中から、所望のデータを当該トレーニングに用いる患者基本情報又は検査条件として選択決定する。
【００４８】
そして、ユーザーによって前記トレーニング条件選択ウィンドウ６１における検索ボタン６１Ａが選択決定されると、その選択決定された条件に基づいて絞り込まれた前記トレーニング用画像情報管理部２１に登録されているトレーニング用データの一覧表示が、候補データ群表示６１Ｂとして図５に示すように表示される。
【００４９】
ユーザーは、この候補データ群表示６１Ｂに表示されたデータの中から、今回のトレーニング対象として用いるデータを選択決定する。ユーザーによって所望のデータが選択決定されると、前記トレーニング指示部１７は、前記トレーニング状態設定部に対してトレーニング状態がＯＮとなったことを通知し、当該医用画像診断装置２はトレーニング開始状態となる。
【００５０】
なお、トレーニングに用いるデータの初期設定の方法として、上述したように前記トレーニング指示部１７が対象となるデータを画像情報表示部９に表示させることでユーザーに選択決定させてもよいし、前記トレーニング指示部１７がランダムにトレーニング対象のデータを選択決定するようにしても勿論よい。
【００５１】
ところで、当該医用画像診断装置２がトレーニング開始状態となると、前記トレーニング指示部１７は、前記装置状態設定記憶部１５に記憶された装置状態を参照して、前記検査実施誘導部１９を起動する。
【００５２】
そして、前記検査実施誘導部１９は、上述したように前記トレーニング指示部１７からの指示に基づいて、ユーザーが当該トレーニングにおいて用いる患者基本情報及び検査情報を入力する際に、候補となる患者基本情報及び検査情報（前記トレーニング用画像情報管理部２１に登録されているトレーニング用データに対応する情報）を画像情報表示部９に表示させることで、ユーザーの入力操作を誘導する。
【００５３】
具体的には、前記予約ボタン５３Ａがユーザーによって選択決定され、前記患者情報入力部５が起動されると、前記検査実施誘導部１９は、例えば図６に示すような患者基本情報入力の為の患者情報入力誘導ウィンドウ７１を、画像情報表示部９に表示させ、前記初期設定結果に従って、当該トレーニングにおいて用いる患者基本情報の候補のデータを、プルダウンメニュー７１Ｐ１乃至７１Ｐ３として、ユーザーに提示する。
【００５４】
すなわち、前記検査実施誘導部１９は、図６に示すように患者情報入力誘導ウィンドウ７１において、患者基本情報として、患者性別、年齢、及び体重をプルダウンメニュー７１Ｐ１乃至７１Ｐ３としてユーザーに提示する。
【００５５】
ここで、ユーザーによって患者性別から順に所望のデータが選択決定されていくと、前記検査実施誘導部１９は、前記トレーニング用画像情報管理部２１に格納されているトレーニング用データに対応するデータを、順次、当該選択決定されたデータに基づいて絞り込んで行く。
【００５６】
例えば、患者性別Ｍがユーザーによって選択決定され、続いて年齢２２才がユーザーによって選択決定されると、前記検査実施誘導部１９は、この選択決定及び前記トレーニング用画像情報管理部２１に登録されているトレーニング用データに対応する情報に基づいて、体重の侯補を絞り込んで（例、７０Ｋｇ、５０Ｋｇ、３０ｋｇ→７０Ｋｇ、５０Ｋｇ）プルダウンメニューとして表示する。
【００５７】
つまり、図６に示す例においては、前記検査実施誘導部１９は、ユーザーによって選択決定されたデータに基づいて、患者基本情報候補７１Ｃから患者基本情報候補７１Ｄへと候補のデータを絞り込んでいく。
【００５８】
なお、患者基本情報候補７１Ｃ及び患者基本情報候補７１Ｄは実際には画像情報表示部９上に表示されないが、候補となるデータの絞り込みのイメージを説明する為に便宜上図示した。
【００５９】
ここで、患者基本情報がユーザーによって例えばキーボード等を用いて直接入力された場合であって、該患者基本情報が、前記トレーニング用画像情報管理部２１に登録されているトレーニング用データに対応するデータの範囲外にある場合（例えば体重であれば士１０Ｋｇ以上の差異がある場合）には、シミュレーション結果として適切な画像データを最終的に出力することができない可能性があるので、前記検査実施誘導部１９は、患者基本情報の再入力を促す旨の表示を画像情報表示部９に表示させる等して、患者基本情報の再入力をユーザーに促す。
【００６０】
なお、患者基本情報としては、上述した患者性別、年齢、体重だけではなく、患者ＩＤ、氏名、住所等の情報の入力も必要であるが、これらの情報に関してはユーザーが適宜入力するものとしてよい。
【００６１】
その後、前記撮影ボタン５３Ｂがユーザーによって選択決定され、前記検査情報入力部７が起動されると、前記検査実施誘導部１９は、例えば図７に示すような検査情報入力の為の検査情報入力誘導ウィンドウ８１を画像情報表示部９に表示させ、前記初期設定結果に従って、当該トレーニングにおいて用いる検査情報の候補のデータを、プルダウンメニュー８１Ｐ１乃至８１Ｐ３として、ユーザーに提示する。
【００６２】
すなわち、前記検査実施誘導部１９は、図７に示すように検査情報入力誘導ウィンドウ８１において、検査情報として、検査部位、検査名、シーケンス名を、プルダウンメニュー８１Ｐ１乃至８１Ｐ３としてユーザーに提示する。
【００６３】
ここで、ユーザーによって検査部位から順に所望の情報が選択決定されていくと、前記検査実施誘導部１９は、前記トレーニング用画像情報管理部２１に格納されているトレーニング用データに対応するデータを、順次、当該選択決定されたデータに基づいて絞り込んで行く。
【００６４】
例えば、検査名としてＭＲＳ（Ｍａｇｎｅｔｉｃ  Ｒｅｓｏｎａｎｃｅ  Ｓｐｅｃｔｒｏｓｃｏｐｙ；磁気共鳴スペクトロスコピー）がユーザーによって選択決定されると、前記検査実施誘導部１９は、この選択決定及び前記トレーニング用画像情報管理部２１に登録されているトレーニング用データに対応する情報に基づいて、シーケンスの候補を絞り込んで(例えば、図７に示す例ではＳＥ（Ｓｐｉｎ  Ｅｃｈｏ；励起パルスによりFIDを発生させ、再収束１８０°パルスを印加することによりＦＩＤの位相を揃えて、再収束したＭＲ信号(エコー)を測定する方法。）＿ＭＲＳ１３６、ＳＴＥ（Ｓｔｉｍｕｌａｔｅｄ  Ｅｃｈｏ；励起エコーの一種）＿ＭＲＳ１０)、プルダウンメニューとして表示する。
【００６５】
なお、検査情報がユーザーによって例えばキーボード等を用いて直接入力された場合であって、該検査情報が、前記トレーニング用画像情報管理部２１に登録されているトレーニング用データに対応するデータの範囲外にある場合（例えば検査データの検査部位として脚部が入力された場合）には、シミュレーション結果として適切な画像データを最終的に出力することができない可能性があるので、前記検査実施誘導部１９は、検査情報の再入力を促す旨の表示を画像情報表示部９に表示させる等して、検査情報の再入力をユーザーに促す。
【００６６】
ところで、前記トレーニング用画像情報管理部２１において登録されているトレーニング用データは、詳細には次のような構成となっている。すなわち、図８に示すように、トレーニング用データ１０１は、例えば実際の検査撮影によって取得した画像データ１０１Ｃと、該画像データ１０１Ｃに対応する検査の検査情報１０１Ｂと、該画像データに対応する患者の患者基本情報１０１Ａとを含む。
【００６７】
換言すれば、前記トレーニング用画像情報管理部２１には、前記患者基本情報１０１Ａと前記検査情報１０１Ｂと前記画像データ１０１Ｃとを含むトレーニング用データ１０１が一つのファイルとして、複数ファイル格納されている。
【００６８】
なお、トレーニング用データ１０１における１つのファイル中に、画像データ１０１Ｃとして複数の画像データが格納されていても勿論良い。また、患者基本情報１０１Ａは、必ずしも上述した各項目すなわち患者ＩＤ、氏名、性別、生年月日、年齢、体重、身長、住所、及び連絡先等の全てを含んでいなくても良い。
【００６９】
同様に、検査情報１０１Ｂは、必ずしも上述した各項目すなわち検査日時、検査場所、検査コメント、主治医等の情報、撮影部位、及び撮影プラン等の全てを含んでいなくともよく、逆に、撮影条件を算出する際に考慮しなければならない撮像種別(検査プロトコルなど)、撮像種類、撮影回数等の情報を更に含んでいても勿論よい。
【００７０】
そして、このようなトレーニング用データ１０１は、前記画像データ登録部２３によって前記トレーニング用画像情報管理部２１に登録される。なお、この画像データ登録部２３によって前記トレーニング用画像情報管理部２１に登録されるトレーニング用データ１０１における画像データ１０１Ｃは、例えばＤＩＣＯＭ規格に準拠したデータであるとする。
【００７１】
以下、このトレーニング用画像情報管理部２１に登録されたトレーニング用データ１０１の複数のファイルの中から、当該トレーニングにおけるシミュレーション結果として最終的に出力する画像データ１０１Ｃを含むトレーニング用データ１０１のファイルを選択する為の一連の処理について、図９に示すフローチャートを参照して説明する。
【００７２】
なお、この一連の処理は、前記撮影シミュレータ部２５によって行われる処理である。換言すれば、前記撮影シミュレータ部２５は、図９に示すフローチャートの処理を実行することで、前記トレーニング用画像情報管理部２１に登録されているトレーニング用データ１０１のファイル群から、当該トレーニングにおいて用いる各種条件にもっとも近い条件にて撮影された画像データ１０１Ｃを含むトレーニング用データ１０１を選択する。
【００７３】
まず、図３を参照して説明したように、前記検査情報入力部７によって検査実施情報が入力され且つ前記Ｓｔａｒｔボタン５５Ｓが選択決定されると、撮影開始が前記撮影実施部１１に指示される。そして、前記撮影実施部１１は、前記トレーニング状態設定記憶部２７に記憶されたトレーニング状態を示すデータを参照して、トレーニング状態がＯＮであることを認識した後、前記撮影シミュレータ部２５を起動する。
【００７４】
そして、前記撮影シミュレータ部２５は、上述したように前記患者情報入力部５によって入力された患者基本情報に基づいて、前記トレーニング用画像情報管理部２１に登録されているトレーニング用データ１０１のファイルの絞り込みを行う（ステップＳ１）。
【００７５】
具体的には、このステップＳ１においては、次のような絞り込みを行う。すなわち前記撮影シミュレータ部２５は、入力された患者基本情報に基づいて、例えば、
検査データの患者年齢-１０％≦入力年齢≦検査データの患者年齢+１０％
ＡＮＤ
検査データの患者性別=入力性別
ＡＮＤ
検査データの患者体重-５％≦入力体重≦検査データの患者体重+５％
ＡＮＤ
検査データの検査部位=入力検査部位
ＡＮＤ
検査データの検査名=入力検査名
ＡＮＤ
検査データのシーケンス名 = 入力シーケンス名
という検索条件式によって、トレーニング用データ１０１のファイルの絞り込みを行う。
【００７６】
続いて、前記撮影シミュレータ部２５は、前記ステップＳ１において絞り込んだトレーニング用データ１０１のファイルに対して、上述したように前記検査情報入力部７によって入力された検査情報に基づいて、更なる絞り込みを行う（ステップＳ２）。
【００７７】
具体的には、このステップＳ２においては、次のような絞り込みを行う。すなわち前記撮影シミュレータ部２５は、入力された検査情報に基づいて、例えば、
検査データのＴＲ-１０％≦入力ＴＲ≦検査データのＴＲ+１０％
ＡＮＤ
検査データのＮＡＱ-５％≦入力ＴＲ≦  検査データのＮＡＱ+１０％
ＡＮＤ
検査データのＩｍａｇｉｎｇ Ｆｌｏｐ Ａｎｇｌｅ-１０％≦入力ＴＲ≦  検査データのＩｍａｇｉｎｇ Ｆｌｏｐ Ａｎｇｌｅ+１０％
ＡＮＤ
検査データのＧａｔｅ  Ｓｏｕｒｃｅ＝検査データのＧａｔｅ  Ｓｏｕｒｃｅ
という検索条件式によって、絞り込みを行う。
【００７８】
前記ＴＲとは、Ｔｉｍｅ Ｏｆ Ｒｅｐｅｔｉｔｉｏｎの略称であり、ＲＦパルスの励起からエコー信号を取り込んで1サイクル終了し、次に同じスライスを励起するまでの時間である。
【００７９】
前記ＮＡＱとは、同じ条件の収集を繰り返すことでＳＮＲ(ＳＮ比)を上げる手法である。
【００８０】
前記Ｉｍａｇｅ Ｆｌｏｐ Ａｎｇｌｅとは、スピンエコーを発生させるためのリフォーカスパルスの角度である。
【００８１】
前記Ｇａｔｅ Ｓｏｕｒｃｅとは、現在選択決定されているシーケンスをどのような同期モードで実行するかを指定するものである。
【００８２】
ところで、前記ステップＳ１及び前記ステップＳ２における処理を実行した後であっても、当該トレーニングにおける各種条件に最も近い条件にて撮影された画像データ１０１Ｃを含むトレーニング用データ１０１として一つのファイルに絞り込めない場合には、各ファイルについて次のようにして“一致度”を求め、最も一致度の高いファイルを選択する（ステップＳ３）。
【００８３】
具体的には、このステップＳ３においては、当該トレーニングにおいて用いる患者基本情報または検査情報として入力された値をＳ、前記トレーニング用データ１０１における患者基本情報１０１Ａまたは検査情報１０１Ｂの値をＴとすると、
一致度＝１／Σ（｜Ｓ−Ｔ｜）…（式１）
として求める。なお、前記（式１）における“Σ”は、患者基本情報及び検査情報における各項目についてそれぞれ算出した値を足し合わせることを示している。
【００８４】
このようにして算出した一致度に基づいて、前記撮影シミュレータ部２５は、最も高い一致度を示すトレーニング用データ１０１を選択する。
【００８５】
その後、前記撮影シミュレータ部２５は、選択したトレーニング用データ１０１と、当該トレーニングにおいて用いた患者基本情報及び検査情報を示すトレーニング条件情報とを関連付け、且つ前記撮影実施形部１１から取得した当該トレーニングを識別する為の検査識別情報（例えば検査ＩＤ等）と共に前記画像情報管理部１３に登録する。
【００８６】
そして、前記撮影シミュレータ２５は、前記トレーニング状態設定記憶部２７に、トレーニング状態として終了（ＯＦＦ）を通知し、当該トレーニングにおける一連の処理を終了する。
【００８７】
上述したように、前記撮影シミュレータ部２５による一連の処理は、前記患者情報入力部５によって入力された患者基本情報、及び前記検査情報入力部７によって入力された検査情報に基づいて、前記トレーニング用画像情報管理部２１に登録されたトレーニング用データ１０１の絞り込みを行い、更に上述した一致度を参照して、当該トレーニングにおける各種条件に最も近い条件にて撮影された画像データ１０１Ｃを含むトレーニング用データ１０１を選択する処理である。
【００８８】
以上説明したように、本第１実施形態によれば、実際に人体にエネルギーを照射することなく且つ実際に検査に用いる医用画像診断装置そのものを用いて容易に撮像のシミュレーションを行うことができる医用画像診断装置を提供することができる。
【００８９】
具体的には、本第１実施形態によれば、ユーザーは通常の検査で用いる医用画像診断装置そのものを用いて撮像のトレーニングを行うことで、それぞれの医用画像診断装置における各種設定等の特徴が反映されたトレーニングを行うことができる。また、人体にエネルギーを照射することなく容易に何回でも模擬撮像演習を行うことができる。
【００９０】
より詳細には、操作する際の各種表示画面及びそのパラメータとして、実検査と同じものを利用できるため、より実検査に近い状態で操作確認を実施できる。
【００９１】
さらには、本第１実施形態によれば、経験の浅いユーザーの為のトレーニングだけでなく、実検査前の確認の為のトレーニングとして、また実運用時の条件設定を確認する為のトレーニングとしても利用できる医用画像診断装置を提供することができる。
【００９２】
［第２実施形態］
以下、本発明の第２実施形態に係る医用画像診断装置を説明する。なお、説明の重複を避ける為に、前記第１実施形態に係る医用画像診断装置との相違点のみを説明する。
【００９３】
図１０は、本第２実施形態に係る医用画像診断装置の一構成例を示す図である。同図に示すように、前記第１実施形態に係る医用画像診断装置と本第２実施形態に係る医用画像診断装置との構成上の相違点は、前記シミュレーション装置部２Ｂの構成である。
【００９４】
すなわち、本第２実施形態においては、図１０に示すように前記トレーニング用画像情報管理部２１及び前記画像データ登録部２３は、前記シミュレーション装置部２Ｂに含まれない。
【００９５】
つまり、前記トレーニング用画像情報管理部２１及び前記画像データ登録部２３は、当該医用画像診断装置２とは別体の装置として設けられ、例えば所定のネットワークを介して当該医用画像診断装置２に接続されている。
【００９６】
以上説明したように、本第２実施形態によれば、前記第１実施形態に係る医用画像診断装置と同様の効果を奏する上に、前記トレーニング用画像情報管理部２１に登録されている前記トレーニング用データを、他の医用画像診断装置等と共有することができ、トレーニング用データの増大や有効活用を実現する医用画像診断装置を提供することができる。
【００９７】
［第３実施形態］
以下、本発明の第３実施形態に係る医用画像診断装置を説明する。なお、説明の重複を避ける為に、前記第１実施形態に係る医用画像診断装置との相違点のみを説明する。
【００９８】
図１１は、本第３実施形態に係る医用画像診断装置の一構成例を示す図である。同図に示すように、前記第１実施形態に係る医用画像診断装置と本第３実施形態に係る医用画像診断装置との構成上の相違点は、前記画像情報管理部１３と、前記画像データ登録部２３とが電気通信回線により接続されている点である。
【００９９】
すなわち、本第３実施形態においては、前記画像情報管理部１３から、前記画像データ登録部２３を介して、トレーニング用データとしての画像データと該画像データに対応する患者基本情報及び検査情報とが、前記トレーニング用画像情報管理部２１に随時登録される。
【０１００】
以上説明したように、本第３実施形態によれば、前記第１実施形態に係る医用画像診断装置と同様の効果を奏する上に、当該医用画像診断装置による実際の検査撮影で取得した画像データと該画像データに対応する患者基本情報及び検査情報とを効率良くトレーニング用データとして前記トレーニング用画像情報管理部２１に登録することができる医用画像診断装置を提供することができる。
【０１０１】
［第４実施形態］
以下、本発明の第４実施形態に係る医用画像診断装置を説明する。なお、説明の重複を避ける為に、前記第１実施形態に係る医用画像診断装置との相違点のみを説明する。
【０１０２】
図１２は、本第４実施形態に係る医用画像診断装置の一構成例を示す図である。同図に示すように、本第４実施形態に係る医用画像診断装置と前記第１実施形態に係る医用画像診断装置との構成上の相違点は、画像情報比較表示部３１の有無である。
【０１０３】
この画像情報比較表示部３１によって、本第４実施形態に係る医用画像診断装置では、当該トレーニングにおいてシミュレーション結果として出力された画像データを実際に取得した検査における患者基本情報及び検査情報等を、例えば図１３に示すように、当該トレーニングにおいて用いた患者基本情報及び検査情報等と比較表示させることができる。
【０１０４】
すなわち、本第４実施形態に係る医用画像診断装置によれば、図１３に示すように比較表示画面９１として、当該トレーニングにおいてシミュレーション結果として出力された画像データの画像データ表示９１Ａと、当該トレーニングにおいて用いた患者基本情報及び検査情報等表示９１Ｂと、前記画像データを実際に取得した検査における患者基本情報及び検査情報等表示９１Ｃとが、前記画像情報表示部９に表示される。
【０１０５】
以上説明したように、本第４実施形態によれば、当該トレーニングにおいて用いた患者基本情報及び検査情報等表示９１Ｂと、当該トレーニングにおいてシミュレーション結果として出力された画像データを実際に取得した検査における患者基本情報及び検査情報等表示９１Ｃとをユーザーが比較することで、当該トレーニングにおいてシミュレーション結果として出力された画像データの妥当性を確認することができる医用画像診断装置を提供することができる。
【０１０６】
以上、第１実施形態乃至第４実施形態に基づいて本発明を説明したが、本発明は上述した実施形態に限定されるものではなく、本発明の要旨の範囲内で種々の変形及び応用が可能なことは勿論である。
【０１０７】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１０８】
【図１】本発明の第１実施形態に係る医用画像診断装置の一構成例を示す図。
【図２】メイン表示画面の一例を示す図。
【図３】撮影ボタンが選択決定された場合のメイン表示画面の一例を示す図。
【図４】観察ボタンが選択決定された場合のメイン表示画面の一例を示す図。
【図５】トレーニング条件選択ウィンドウの一例を示す図。
【図６】患者基本情報入力の為の患者情報入力誘導ウィンドウの一例を示す図。
【図７】査情報入力の為の検査情報入力誘導ウィンドウの一例を示す図。
【図８】トレーニング用データの一構成例を示す図。
【図９】撮影シミュレータ部によって行われるトレーニング用データの絞り込み処理のフローチャートを示す図。
【図１０】本発明の第２実施形態に係る医用画像診断装置の一構成例を示す図。
【図１１】本発明の第３実施形態に係る医用画像診断装置の一構成例を示す図。
【図１２】本発明の第４実施形態に係る医用画像診断装置の一構成例を示す図。
【図１３】本発明の第４実施形態に係る医用画像診断装置による比較表示画面の一例を示す図。
【符号の説明】
【０１０９】
５３…第１表示領域、  ５３Ｄ…ファイルボタン、  ５３Ｓ…管理ボタン、  ５３Ｔ…終了ボタン、  ５５…第２表示領域、  ５５Ａ…Ａｂｏｒｔボタン、  ５５Ｂ…検査予約情報表示、  ５５Ｃ…検査実施情報表示、  ５５Ｓ…Ｓｔａｒｔボタン、  ５５Ｔ…検査予約画面表示、  ５７…第３表示領域、  ６１…トレーニング条件選択ウィンドウ、  ６１Ｐ１，６１Ｐ２，６１Ｐ３，６１Ｐ４…プルダウンメニュー、  ６１Ａ…検索ボタン、  ６１Ｂ…候補データ群表示、  ７１…患者情報入力誘導ウィンドウ、  ７１Ｐ１、７１Ｐ２，７１Ｐ３…プルダウンメニュー、  ７１Ｃ，７１Ｄ…患者基本情報候補、  ８１…検査情報入力誘導ウィンドウ、  ８１Ｐ１，８１Ｐ２，８１Ｐ３…プルダウンメニュー、  ９１…比較表示画面、  ９１Ａ…画像データ表示、  ９１Ｂ…検査情報等表示、  ９１Ｃ…検査情報等表示、  １０１…トレーニング用データ、  １０１Ａ…患者基本情報、  １０１Ｂ…検査情報、  １０１Ｃ…画像データ。
【図１】
2008264125.tif 000003
【図２】
2008264125.tif 000004
【図３】
2008264125.tif 000005
【図４】
2008264125.tif 000006
【図５】
2008264125.tif 000007
【図６】
2008264125.tif 000008
【図７】
2008264125.tif 000009
【図８】
2008264125.tif 000010
【図９】
2008264125.tif 000011
【図１０】
2008264125.tif 000012
【図１１】
2008264125.tif 000013
【図１２】
2008264125.tif 000014
【図１３】
2008264125.tif 000015